(57)【要約】【課題】画像形成を行っている時は画像形成のために使用されているが、画像形成を行っていない時は使用されなくなる空間を利用せずに清掃部を帯電部材に接触させる場合と比較して、機構を簡単にする。【解決手段】画像形成装置１０は、感光体ドラム２２０と、感光体ドラム２２０を帯電する帯電ロール２３０と、感光体ドラム２２０を露光する露光装置３００と、帯電ロール２３０に接触する清掃部２６２を有する清掃具２６０とを有し、清掃具２６０は、露光装置３００による露光に用いられる空間Ｓに着脱可能であって、装着状態で帯電ロール２３０に清掃部２６２が接触し、帯電ロール２３０を清掃する。【選択図】図３
2019074653.tif 000002
【特許請求の範囲】
【請求項１】
像保持体と、
前記像保持体を帯電する帯電手段と、
前記像保持体を露光する露光装置と、
前記帯電部材に接触する清掃部を有する清掃具と、
を有し、
前記清掃具は、前記露光装置による露光に用いられる空間に着脱可能であって、装着状態で前記帯電部材に前記清掃部が接触し、前記帯電部材を清掃する画像形成装置。
【請求項２】
像保持体と、
前記像保持体を帯電する帯電手段と、
前記像保持体を露光する露光装置と、
前記像保持体に形成された潜像を現像する現像装置と、
前記帯電部材に接触する清掃部を有する清掃具と、
を有し、
前記清掃具は、前記像保持体の回転方向において前記帯電部材よりも下流側であって、前記現像装置よりも上流側の空間に着脱可能であって、装着された状態で前記帯電部材に前記清掃部が接触し、前記帯電部材を清掃する画像形成装置。
【請求項３】
前記空間は、前記露光装置の少なくとも一部が、画像形成時に配置されている空間である請求項１又は２記載の画像形成装置。
【請求項４】
前記空間は、前記露光装置が照射した光が通過する空間である請求項１又は２記載の画像形成装置。
【請求項５】
前記清掃具は、前記清掃部が前記帯電部材に接触した状態で、前記帯電部材が回転することにより前記帯電部材を清掃する請求項１から４のいずれか記載の画像形成装置。
【請求項６】
前記帯電手段を回転駆動する駆動源をさらに有し、
前記清掃具は、前記駆動源により前記帯電手段が回転することにより前記帯電手段を清掃する請求項５記載の画像形成装置。
【請求項７】
操作のための情報を表示する表示装置をさらに有し、
前記表示装置は、前記帯電手段の清掃が終了した後であって、前記清掃具が取り外されていない場合に、前記清掃部材の取り外されていない状態を前記表示装置に表示する請求項１から６いずれか記載の画像形成装置。
【請求項８】
前記清掃部が前記帯電手段に接触した状態となるように、前記清掃具を固定する固定手段をさらに有する請求項１から７いずれか記載の画像形成装置。
【請求項９】
前記清掃具を装着する際に、前記清掃具の移動を案内する案内部をさらに有する請求項１から８いずれか記載の画像形成装置。
【請求項１０】
前記像保持体が保持する潜像を現像する現像装置をさらに有し、
前記現像装置の本体の一部分に前記案内部が設けられるとともに、
前記現像装置は、前記清掃具を案内している際に前記像保持体から離れる方向の力を受ける請求項９記載の画像形成装置。
【請求項１１】
前記清掃具を引き出す際に、前記清掃具の移動を案内する案内部を有する請求項１から８いずれか記載の画像形成装置。
【請求項１２】
前記像保持体が保持する潜像を現像する現像装置をさらに有し、
前記現像装置の本体の一部分に前記案内部が設けられるとともに、
前記現像装置は、前記清掃具を案内している際に前記像保持体から離れる方向の力を受ける請求項１１記載の画像形成装置。
【請求項１３】
前記清掃具は、前記帯電手段の長手方向に着脱可能である請求項１から１２いずれか記載の画像形成装置。
【請求項１４】
像保持体を帯電する帯電手段を有する画像形成ユニットであって、
前記帯電手段に接触する清掃部を有する清掃具が着脱可能であって、前記清掃具が、露光装置による前記像保持体の露光に用いられる空間に装着された状態で前記帯電手段を清掃する画像形成ユニット。
【請求項１５】
像保持体を帯電する帯電部材と、前記像保持体に形成された潜像を現像する現像装置とを有する画像形成ユニットであって、
前記帯電部材に接触する清掃部を有する清掃具が着脱可能であって、前記清掃具が、前記像保持体の回転方向において前記帯電部材よりも下流側であって、前記現像装置よりも上流側の空間に挿入された状態で前記帯電部材を清掃する画像形成ユニット。
【請求項１６】
像保持体を帯電する帯電手段に接触する清掃部を有し、前記露光装置による露光に用いられる空間に着脱可能であって、装着された状態で前記帯電手段に前記清掃部が接触し、前記帯電手段を清掃する清掃具。
【請求項１７】
像保持体を帯電する帯電部材に接触する清掃部を有し、前記帯電部材に前記清掃部が接触し、離間するように着脱可能であって、前記像保持体の回転方向において前記帯電部材よりも下流側であって、前記像保持体に形成された潜像を現像する現像装置よりも上流側の空間に挿入された状態で前記帯電部材を清掃する清掃具。
【発明の詳細な説明】
【技術分野】
【０００１】
本発明は、画像形成装置、画像形成ユニット及び清掃具に関する。
【背景技術】
【０００２】
特許文献１には、表面に感光層を有する像担持体と、該像担持体表面を一様に帯電するために像担持体に接触する帯電部材と、該帯電部材を清掃する清掃部材と、該清掃部材を前記帯電部材に対して着脱させる着脱手段と、前記像担持体表面に静電潜像を形成する潜像形成手段と、電気的なバイアス印加によって前記静電潜像にトナーを付着させてトナー像として現像する複数の現像手段を有し、前記像担持体上に順次形成された各色の画像の潜像を対応する色の各色のトナーで順次現像して各色のトナー像を形成する画像形成装置において、前記清掃部材による前記帯電部材の清掃タイミングを前記各現像手段の使用状況に応じて変更することを特徴とする画像形成装置が記載されている。
【０００３】
特許文献２には、無端移動可能な像担持体の被帯電面に対して近接配置された帯電ローラと、この帯電ローラ表面の付着物を除去するローラ状清掃部材を有する画像形成装置において、前記帯電ローラと前記ローラ状清掃部材とが別体にて着脱可能に構成されていて、前記ローラ状清掃部材の着脱方向と前記帯電ローラの像担持体の当接方向とが９０度以上の差を以って構成されたことを特徴とする画像形成装置が記載されている。
【先行技術文献】
【特許文献】
【０００４】
【特許文献１】特開平１１−３５２８４９号公報
【特許文献２】特許第５３３８０５５号
【発明の概要】
【発明が解決しようとする課題】
【０００５】
帯電部材は、帯電部材が接触している時間が長いほど摩耗しやすいため、常時ではなく、特定のタイミングのみ清掃部材を帯電部材に接触させるように配置する技術が知られている（例えば、特開平１１−３５２８４９号公報を参照）。
【０００６】
本発明は、画像形成を行っている時は画像形成のために使用されているが、画像形成を行っていない時は使用されなくなる空間を利用せずに清掃部を帯電手段に接触させる場合と比較して、画像形成を行っていない時に帯電手段を清掃するスペースを小さくできる画像形成装置、画像形成ユニット及び清掃具を提供することを目的とする。
【課題を解決するための手段】
【０００７】
請求項１に係る本発明は、
像保持体と、
前記像保持体を帯電する帯電手段と、
前記像保持体を露光する露光装置と、
前記帯電部材に接触する清掃部を有する清掃具と、
を有し、
前記清掃具は、前記露光装置による露光に用いられる空間に着脱可能であって、装着状態で前記帯電部材に前記清掃部が接触し、前記帯電部材を清掃する画像形成装置である。
【０００８】
請求項２に係る本発明は、
像保持体と、
前記像保持体を帯電する帯電手段と、
前記像保持体を露光する露光装置と、
前記像保持体に形成された潜像を現像する現像装置と、
前記帯電部材に接触する清掃部を有する清掃具と、
を有し、
前記清掃具は、前記像保持体の回転方向において前記帯電部材よりも下流側であって、前記現像装置よりも上流側の空間に着脱可能であって、装着された状態で前記帯電部材に前記清掃部が接触し、前記帯電部材を清掃する画像形成装置である。
【０００９】
請求項３に係る本発明は、前記空間は、前記露光装置の少なくとも一部が、画像形成時に配置されている空間である請求項１又は２記載の画像形成装置である。
【００１０】
請求項４に係る本発明は、前記空間は、前記露光装置が照射した光が通過する空間である請求項１又は２記載の画像形成装置である。
【００１１】
請求項５に係る本発明は、前記清掃具は、前記清掃部が前記帯電部材に接触した状態で、前記帯電部材が回転することにより前記帯電部材を清掃する請求項１から４のいずれか記載の画像形成装置である。
【００１２】
請求項６に係る本発明は、
前記帯電手段を回転駆動する駆動源をさらに有し、
前記清掃具は、前記駆動源により前記帯電手段が回転することにより前記帯電手段を清掃する請求項５記載の画像形成装置である。
【００１３】
請求項７に係る本発明は、
操作のための情報を表示する表示装置をさらに有し、
前記表示装置は、前記帯電手段の清掃が終了した後であって、前記清掃具が取り外されていない場合に、前記清掃部材の取り外されていない状態を前記表示装置に表示する請求項１から６いずれか記載の画像形成装置である。
【００１４】
請求項８に係る本発明は、前記清掃部が前記帯電手段に接触した状態となるように、前記清掃具を固定する固定手段をさらに有する請求項１から７いずれか記載の画像形成装置である。
【００１５】
請求項９に係る本発明は、前記清掃具を装着する際に、前記清掃具の移動を案内する案内部をさらに有する請求項１から８いずれか記載の画像形成装置である。
【００１６】
請求項１０に係る本発明は、
前記像保持体が保持する潜像を現像する現像装置をさらに有し、
前記現像装置の本体の一部分に前記案内部が設けられるとともに、
前記現像装置は、前記清掃具を案内している際に前記像保持体から離れる方向の力を受ける請求項９記載の画像形成装置である。
【００１７】
請求項１１に係る本発明は、前記清掃具を引き出す際に、前記清掃具の移動を案内する案内部を有する請求項１から８いずれか記載の画像形成装置である。
【００１８】
請求項１２に係る本発明は、
前記像保持体が保持する潜像を現像する現像装置をさらに有し、
前記現像装置の本体の一部分に前記案内部が設けられるとともに、
前記現像装置は、前記清掃具を案内している際に前記像保持体から離れる方向の力を受ける請求項１１記載の画像形成装置である。
【００１９】
請求項１３に係る本発明は、前記清掃具は、前記帯電手段の長手方向に着脱可能である請求項１から１２いずれか記載の画像形成装置である。
【００２０】
請求項１４に係る本発明は、
像保持体を帯電する帯電手段を有する画像形成ユニットであって、
前記帯電手段に接触する清掃部を有する清掃具が着脱可能であって、前記清掃具が、露光装置による前記像保持体の露光に用いられる空間に装着された状態で前記帯電手段を清掃する画像形成ユニットである。
【００２１】
請求項１５に係る本発明は、
像保持体を帯電する帯電部材と、前記像保持体に形成された潜像を現像する現像装置とを有する画像形成ユニットであって、
前記帯電部材に接触する清掃部を有する清掃具が着脱可能であって、前記清掃具が、前記像保持体の回転方向において前記帯電部材よりも下流側であって、前記現像装置よりも上流側の空間に挿入された状態で前記帯電部材を清掃する画像形成ユニットである。
【００２２】
請求項１６に係る本発明は、像保持体を帯電する帯電手段に接触する清掃部を有し、前記露光装置による露光に用いられる空間に着脱可能であって、装着された状態で前記帯電手段に前記清掃部が接触し、前記帯電手段を清掃する清掃具である。
【００２３】
請求項１７に係る本発明は、像保持体を帯電する帯電部材に接触する清掃部を有し、前記帯電部材に前記清掃部が接触し、離間するように着脱可能であって、前記像保持体の回転方向において前記帯電部材よりも下流側であって、前記像保持体に形成された潜像を現像する現像装置よりも上流側の空間に挿入された状態で前記帯電部材を清掃する清掃具である。
【発明の効果】
【００２４】
請求項１に係る本発明によれば、画像形成を行っている時は画像形成のために使用されているが、画像形成を行っていない時は使用されなくなる空間を利用せずに清掃部を帯電手段に接触させる場合と比較して、画像形成を行っていない時に帯電手段を清掃するスペースを小さくできる画像形成装置を提供することができる。
【００２５】
請求項２に係る本発明によれば、画像形成を行っている時は画像形成のために使用されているが、画像形成を行っていない時は使用されなくなる空間を利用せずに清掃部を帯電手段に接触させる場合と比較して、画像形成を行っていない時に帯電手段を清掃するスペースを小さくできる画像形成装置を提供することができる。
【００２６】
請求項３に係る本発明によれば、露光装置の少なくとも一部が画像形成時に配置される空間を利用せずに清掃部を帯電手段に接触させる場合と比較して、画像形成を行っていない時に帯電手段を清掃するスペースを小さくできる。
【００２７】
請求項４に係る本発明によれば、露光装置が照射した光が通過する空間を利用せずに清掃部を帯電手段に接触させる場合と比較して、画像形成を行っていない時に帯電手段を清掃するスペースを小さくできる。
【００２８】
請求項５に係る本発明によれば、清掃部を回転させて帯電手段を清掃する場合と比較して、画像形成を行っていない時に帯電手段を清掃するスペースを小さくできるにすることができる。
【００２９】
請求項６に係る本発明によれば、帯電手段を回転させる駆動源とは別の駆動源で清掃部を回転させて清掃をする場合と比較して、画像形成を行っていない時に帯電手段を清掃するスペースを小さくできる。
【００３０】
請求項７に係る本発明によれば、帯電手段の清掃が終了した後であって、清掃具が取り外されていない場合に、清掃具が取り外されていない表示をしない場合と比較して、清掃部が取り外されていない状態としにくくすることができる。
【００３１】
請求項８に係る本発明によれば、固定部を有しない場合と比較して、清掃具を移動しにくくすることができる。
【００３２】
請求項９に係る本発明によれば、案内部を有しない場合と比較して、清掃部を簡単に装着することができる。
【００３３】
請求項１０に係る本発明によれば、現像装置が清掃具を案内している際に像保持体から離れる方向の力を受けない場合と比較して、像保持体と現像装置との接触力が強くなることを抑制できる。
【００３４】
請求項１１に係る本発明によれば、案内部を有しない場合と比較して、清掃部を簡単に引き出すことができる。
【００３５】
請求項１２に係る本発明によれば、現像装置が清掃具を案内している際に像保持体から離れる方向の力を受けない場合と比較して、像保持体と現像装置との接触力が強くなることを抑制できる。
【００３６】
請求項１３に係る本発明によれば、帯電手段の長手方向と交わる方向に清掃具を着脱する場合と比較して、帯電手段が回転をすることで清掃部が帯電手段から離れる方向の力を受けたとしても、清掃部を帯電手段から離れにくくすることができる。
【００３７】
請求項１４に係る本発明によれば、画像形成を行っている時は画像形成のために使用されているが、画像形成を行っていない時は使用されなくなる空間を利用せずに清掃部を帯電手段に接触させる場合と比較して、画像形成を行っていない時に帯電手段を清掃するスペースを小さくできる画像形成ユニットを提供することができる。
【００３８】
請求項１５に係る本発明によれば、画像形成を行っている時は画像形成のために使用されているが、画像形成を行っていない時は使用されなくなる空間を利用せずに清掃部を帯電手段に接触させる場合と比較して、画像形成を行っていない時に帯電手段を清掃するスペースを小さくできる画像形成ユニットを提供することができる。
【００３９】
請求項１６に係る本発明によれば、画像形成を行っている時は画像形成のために使用されているが、画像形成を行っていない時は使用されなくなる空間を利用せずに清掃部を帯電部材に接触させる場合と比較して、画像形成を行っていない時に帯電手段を清掃するスペースを小さくできる清掃具を提供することができる。
【００４０】
請求項１７に係る本発明によれば、画像形成を行っている時は画像形成のために使用されているが、画像形成を行っていない時は使用されなくなる空間を利用せずに清掃部を帯電部材に接触させる場合と比較して、画像形成を行っていない時に帯電手段を清掃するスペースを小さくできる清掃具を提供することができる。
【図面の簡単な説明】
【００４１】
【図１】本発明の第１の実施形態の画像形成装置を示す図である。
【図２】図１に示す画像形成装置が有する画像形成ユニットを示す第１の図であって、清掃具が装着されていない状態の画像形成ユニットを示す図である。
【図３】図１に示す画像形成装置が有する画像形成ユニットを示す第２の図であって、清掃具が装着されている状態の画像形成ユニットを示す図である。
【図４】図１に示す画像形成装置に用いられる清掃具を示す図である。
【図５】本発明の第２の実施形態の画像形成装置を示す図である。
【図６】図５に示す画像形成装置が有する画像形成ユニットを示す図である。
【発明を実施するための形態】
【００４２】
以下、本発明の実施形態について図面を参照して詳細に説明する。図１には、本発明の第１の実施形態の画像形成装置１０が示されている。図１に示すように、画像形成装置１０は、画像形成装置本体１２を有し、画像形成装置本体１２には、表示パネル１４が装着されている。表示パネル１４は、表示装置の一例であって、操作者が画像形成装置１０を操作するための情報を表示する。
【００４３】
画像形成装置本体１２内には、画像形成ユニット２００が配置されている。画像形成ユニット２００は、例えば、図１における紙面奥側に押し込むように画像形成装置本体１２に対して装着することができ、例えば、図１における紙面手前側に引き出すように画像形成装置本体１２から取り外すことができる。
【００４４】
画像形成ユニット２００は、画像形成ユニット本体２０２を有し、画像形成ユニット本体２０２に対して、回転することができるように感光体ドラム２２０が装着されている。感光体ドラム２２０は、像保持体の一例である。尚、画像形成ユニット２００の詳細は後述する（図２、図３を参照）。
【００４５】
尚、図１においては、後述する清掃具２６０（例えば図４を参照）が装着されていない状態における画像形成ユニット２００が示されている。
【００４６】
画像形成装置本体１２内には、露光装置３００が配置されている。露光装置３００は、感光体ドラム２２０を露光し、感光体ドラム２２０の表面に潜像を形成する。この実施形態では、露光装置３００として、例えばプリゴンミラー（不図示）を有するレーザー照射装置が用いられている。また、この実施形態においては、露光装置３００は、画像形成装置本体１２内における、画像形成ユニット本体２０２の外側に配置されている。
【００４７】
画像形成装置本体１２内には、転写装置４１０がさらに配置されている。転写装置４１０は、転写部材４１２を有し、感光体ドラム２２０の表面に形成されたトナー像を例えは普通紙等の記録媒体に転写する。
【００４８】
画像形成装置本体１２内には、定着装置４２０がさらに配置されている。定着装置４２０は、例えば、記録媒体に転写されたトナー像を、例えば熱と圧力とを用いて記録媒体に定着させる。
【００４９】
画像形成装置本体１２内には、供給装置４３０が配置されている。供給装置４３０は、感光体ドラム２２０と転写部材４１２とが接触する接触部へと向けて記録媒体を供給する。供給装置４３０は、積層した状態の記録媒体を収納する収納部４３２と、収納部４３２に収納された記録媒体を送り出す送り出しロール４３４とを有する。
【００５０】
画像形成装置本体１２内には、記録媒体を搬送するために用いられる搬送路４４０が形成されている。また、搬送路４４０に沿って、記録媒体の搬送方向における上流側から順に、先述の送り出しロール４３４と、レジストロール４４２と、先述の感光体ドラム２２０及転写部材４１２と、先述の定着装置４２０と、排出ロール４４４とが配置されている。
【００５１】
レジストロール４４２は、記録媒体の先端部の移動を一時的に停止させ、画像形成のタイミングに合致させるように記録媒体の先端部の移動を再開させる。
【００５２】
排出ロール４４４は、定着装置４２０によってトナー像が定着された記録媒体を画像形成装置本体１２外へと排出する。
【００５３】
図２には、後述する清掃具２６０が装着されていない状態にある画像形成ユニット２００が示されていて、図３には、後述する清掃具２６０が装着された状態にある画像形成ユニット２００が示されている。
【００５４】
図２及び図３に示すように、画像形成ユニット２００は、先述の画像形成ユニット本体２０２と、先述の感光体ドラム２２０とを有し、さらには帯電ロール２３０を有する。帯電ロール２３０は、感光体ドラム２２０を帯電する帯電部材の一例であって、帯電バイアスが印加されていて、感光体ドラム２２０の表面を帯電する。ここで、帯電ロール２３０の表面は、例えば導電性のゴム製である。また、帯電ロール２３０の表面には、使用に伴って紙粉やトナー等が付着するため、例えば、予め定められている枚数の画像形成をした後に帯電ロール２３０の表面を清掃することが望ましい。
【００５５】
帯電ロール２３０は、駆動源２３２に連結されていて、駆動源からの駆動伝達を受けて回転駆動する。図２においては、駆動源２３２が直接に帯電ロール２３０に連結されているものの、駆動源２３２を感光体ドラム２２０に連結し、帯電ロール２３０が感光体ドラム２２０に連れ回りするようにしてもよい。
【００５６】
画像形成ユニット２００は、現像装置２４０をさらに有する。現像装置本体２４２と、現像スリーブ２４４とを有し、現像スリーブ２４４が回転をすることで現像装置本体２４２中に収納されている現像剤を感光体ドラム２２０に供給し、現像剤中のトナーが感光体ドラム２２０の表面に形成された静電潜像を現像する。尚、現像装置本体２４２は、画像形成ユニット本体２０２の一部分を構成している。
【００５７】
画像形成ユニット２００は、感光体清掃部材２５０をさらに有する。感光体清掃部材２５０は、感光体ドラム２２０の表面に接触していて、感光体ドラム２２０の表面に残留したトナー等を掻き取るようにして、感光体ドラム２２０を清掃する。
【００５８】
図３に示すように、画像形成ユニット２００は清掃具２６０をさらに有する。清掃具２６０は、帯電ロール２３０に接触する清掃部２６２と、清掃部２６２を支持する支持部２６４とを有する。また、清掃具２６０は、画像形成ユニット本体２０２に対して着脱することができ、図２に示す空間Ｓに挿入されるようにして、画像形成ユニット本体２０２に装着可能である。ここで、空間Ｓは、露光装置３００による感光体ドラム２２０の露光に用いられる空間であり、より具体的には、露光装置３００が照射した光が通過する空間である。また、空間Ｓは、感光体ドラム２２０の回転方向（図２及び図３に示す矢印ａの方向）において帯電ロール２３０よりも下流側であって、感光体ドラム２２０の回転方向において、現像装置２４０よりも上流側の空間である。
【００５９】
清掃具２６０は、空間Ｓに挿入されるように装着された状態においては、清掃部２６２が帯電ロール２３０に接触する状態となり、この状態において帯電ロール２３０を清掃する。また、清掃具２６０が空間Ｓを占有しない状態となるように取り外された状態においては、清掃部２６２が帯電ロール２３０から離間する。
【００６０】
また、この実施形態においては、清掃具２６０は、空間Ｓに挿入され、清掃部２６２が帯電ロール２３０に接触し、帯電ロール２３０が回転することで帯電ロール２３０を清掃する。ここで、清掃部２６２が帯電ロール２３０に接触した状態で帯電ロール２３０を回転させるには、清掃具２６０が装着された状態にある画像形成ユニット２００を画像形成装置本体１２に装着し、駆動源２３２を用いて帯電ロール２３０を回転させればよい。
【００６１】
操作者は、帯電ロール２３０の回転が停止し、帯電ロール２３０の清掃が終了した後に、空間Ｓから清掃具２６０を取り除いて、露光装置３００が空間Ｓを露光のために用いることが出来るようにすることを要する。このため、帯電ロール２３０の清掃が終了した後であって、清掃具２６０が画像形成ユニット２００から取り外されていない場合に、表示パネル１４に清掃具２６０の取り外しを促す表示をすることが望ましい。
【００６２】
また、清掃部２６２が帯電ロール２３０に接触した状態で帯電ロール２３０を回転させるには、清掃具２６０が装着された状態にある画像形成ユニット２００を画像形成装置本体１２から取り外し、操作者が、帯電ロールを、例えば手を用いて回転させてもよい。
【００６３】
操作者は、帯電ロール２３０の清掃が終了した後、画像形成ユニット２００を画像形成装置本体１２に装着する前に、空間Ｓから清掃具２６０を取り除いて、画像形成ユニット２００が画像形成装置本体１２に装着された後に、空間Ｓを露光装置３００が露光のために用いることができるようにすることを要する。
【００６４】
画像形成ユニット２００は、スナップフィット機構２７０を有する。スナップフィット機構２７０は、清掃部２６２が帯電ロール２３０に接触した状態となるように、清掃具２６０を固定する固定手段の一例である。スナップフィット機構２７０は、例えば、清掃具２６０側に形成された凸部２７２と、凸部２７２と係合するように、画像形成ユニット本体２０２（現像装置本体２４２）側に形成された凹部２７４とを有し、画像形成装置本体１２に装着された画像形成ユニット２００を固定する。
【００６５】
画像形成ユニット２００は、案内部２８０をさらに有する。案内部２８０は、清掃具２６０を装着する際に清掃具２６０の移動を案内し、清掃具２６０を取り外す際に清掃具２６０の移動を案内する。この実施形態では、画像形成ユニット本体２０２の一部分であり、現像装置本体２４２の一部である上向きの面２８２が、案内部２８０とし用いられている。
【００６６】
また、画像形成ユニット２００においては、上向きの面２８２が、清掃具２６０を重力方向における下側から支持している。
【００６７】
清掃具２６０は、画像形成ユニット本体２０２に対して、帯電ロール２３０の長手方向に着脱されるようにすることが望ましい。例えば、図２、図３における紙面の奥側に向けて押し込むようにして画像形成ユニット本体２０２に対して装着され、例えば、図２、図３における紙面の前側に向けて引き出すように画像形成ユニット本体２０２が取り外されるようにすることが望ましい。
【００６８】
図４には、清掃具２６０が示されている。清掃具２６０は、先述のように清掃部２６２と支持部２６４とを有し、支持部２６４には、先述のスナップフィット機構２７０の一部をなす先述の凸部２７２が形成されている。
【００６９】
また、図４における矢印ｂ１は、清掃具２６０が空間Ｓに挿入されるように、清掃具２６０が画像形成ユニット２００に装着される方向を示していて、図４における矢印ｂ２は、清掃具２６０が空間Ｓを占有しない状態となるように、清掃具２６０が画像形成ユニット２００から取り外される方向を示している。
【００７０】
図５には、本発明の第２の実施形態の画像形成装置１０が示されていて、図６には、図５に示す画像形成装置１０に装着された状態にある画像形成ユニット２００が示されている。以下、図５と図６とを参照して、本発明の第２の実施形態を説明する。尚、以下の説明においては、第２の実施形態の第１の実施形態との違いを説明し、第２の実施形態の第１の実施形態と同じ部分についての説明は省略する。
【００７１】
先述の第１の実施形態においては、画像形成装置１０は、露光装置３００として、レーザー照射装置が用いられていた。これに対して、この第２の実施形態では、露光装置３００として、ＬＥＤ発光装置が用いられている。
【００７２】
また、先述の第１の実施形態では、露光装置３００は、画像形成装置本体１２内における画像形成ユニット本体２０２の外側に配置されていた。これに対して、この第２の実施形態では、露光装置３００は、画像形成装置本体１２内における画像形成ユニット本体２０２に囲まれた空間に配置されている。より具体的には、露光装置３００は、露光装置３００による感光体ドラム２２０の露光に用いられる空間であり、感光体ドラム２２０の回転方向において帯電ロール２３０よりも下流側であって、感光体ドラム２２０の回転方向において、現像装置２４０よりも上流側の空間である空間Ｓに配置されている。
【００７３】
また、先述の第１の実施形態では、空間Ｓは、露光装置３００が照射した光が通過する空間であった。これに対して、この第２の実施形態では、空間Ｓは、露光装置３００の少なくとも一部分が、少なくとも画像形成時に挿入される空間である。
【００７４】
以上で説明をした第１の実施形態と第２の実施形態とにおいては、感光体ドラム２２０と、帯電ロール２３０と、現像装置２４０と、感光体清掃部材２５０とが画像形成ユニット２００として一体構成とされ、画像形成装置本体１２に対して着脱可能となっていたものの、感光体ドラム２２０と、帯電ロール２３０と、現像装置２４０と、感光体清掃部材２５０との一部又は全部を、ユニット化せず、画像形成装置本体１２に直接装着するようにしてもよい。
【００７５】
また、以上で説明をした第１の実施形態と第２の実施形態とにおいては、画像形成ユニット２００に対して清掃具２６０が着脱可能となっていたものの、清掃具２６０を画像形成装置本体１２に対して着脱としてもよい。
【００７６】
また、以上で説明をした第１の実施形態と第２の実施形態とにおいては、感光体ドラム２２０、画像形成ユニット２００等を１つ有し、単色の画像を形成する装置を例として示したものの、感光体ドラム２２０、画像形成ユニット２００等を複数有し、それぞれの画像形成ユニット２００等を用いて互いに異なる色の画像を形成し、これらの互いに異なる色の画像を重ねることで多色の画像を形成する装置にも本発明を適用することができる。
【符号の説明】
【００７７】
１０・・・画像形成装置
１４・・・表示パネル
２００・・・画像形成ユニット
２０２・・・画像形成ユニット本体
２２０・・・感光体ドラム
２３０・・・帯電ロール
２３２・・・駆動源
２４０・・・現像装置
２４２・・・現像装置本体
２６０・・・清掃具
２６２・・・清掃部
２７０・・・スナップフィット機構
２８０・・・案内部
２８２・・・面
３００・・・露光装置
Ｓ・・・空間
【図１】
2019074653.tif 000003
【図２】
2019074653.tif 000004
【図３】
2019074653.tif 000005
【図４】
2019074653.tif 000006
【図５】
2019074653.tif 000007
【図６】
2019074653.tif 000008